(57)【要約】【課題】外観面で良好に蛍光ランプの最冷点の温度上昇を抑えランプ光束を向上できる照明器具を提供する。【解決手段】照明器具１０は、下方が開口された器具本体と、器具本体の内側に取り付けられる反射板２３と、反射板２３の内側に収容される蛍光ランプ１２とを備え、反射板２３は、ソケット側の領域と、その反対側の領域との境界に熱移動抑制部３１を設ける。【選択図】図３
2012089427.tif 000002
【特許請求の範囲】
【請求項１】
下方が開口された器具本体と、
前記器具本体の内側に取り付けられる反射板と、
前記反射板の内側に収容される蛍光ランプとを備え、
前記反射板は、ソケット側の領域と、その反対側の領域との境界に熱移動抑制部を設ける照明器具。
【請求項２】
請求項１に記載の照明器具において、
前記熱移動抑制部は、スリットである照明器具。
【請求項３】
請求項１に記載の照明器具において、
前記熱移動抑制部は、前記反射板よりも熱伝導率の低い材料から構成される照明器具。
【請求項４】
請求項１に記載の照明器具において、
前記熱移動抑制部は、前記反射板よりも厚みが小さく形成される照明器具。
【発明の詳細な説明】
【技術分野】
【０００１】
本発明は、蛍光ランプを用いてデスクスタンドに適用される照明器具に関する。
【背景技術】
【０００２】
従来より、蛍光ランプの周囲を器具本体により囲み、器具本体において蛍光ランプの長手方向における口金とは反対側に開口を設けた照明器具が知られている（例えば、特許文献１参照）。
特許文献１に記載の照明器具は、蛍光ランプの口金とは反対の先端部が、開口により外気に直接触れることにより、蛍光ランプの最冷点の温度上昇を抑えて光束の低下を抑制できる。
【先行技術文献】
【特許文献】
【０００３】
【特許文献１】実開平４−７６２０５号公報（図１、請求項１）
【発明の概要】
【発明が解決しようとする課題】
【０００４】
しかし、前述した特許文献１に記載された照明器具は、蛍光ランプの点灯時に蛍光ランプの口金側および口金が装着されるソケットの温度が高くなる。そして、その熱が器具本体に伝わり、熱が器具本体を通じて蛍光ランプの先端部に伝わって蛍光ランプの先端部の温度が上昇する。
従って、前述した特許文献１に記載された照明器具は、蛍光ランプの最冷点の温度上昇を確実に抑えることができない。
【０００５】
ところで、前述した特許文献１に記載された照明器具と同様に、器具本体の天井面側に複数の放熱用の孔を設けて蛍光ランプの先端部の熱を放熱するようにした照明器具が提案されている。
しかし、このような従来の照明器具は、器具本体に孔を有するために外観上の面で良好とは言えない。
【０００６】
一般的に、消費電力当たりにどのくらいの明るさを引き出せるかは、エネルギー消費効率で表される。このエネルギー消費効率は、ＪＩＳにより以下の数式に定められている。
【０００７】
【数１】
2012089427.tif 000003
【０００８】
数式１により明らかなように、ランプ温度が高い状況においては、温度補正係数は低い。そのため、エネルギー消費効率を上げるためには、温度補正係数を上げる必要がある。
図７に示すように、ランプ最冷点温度と温度補正係数との関係により明らかなように、温度補正係数を上げるためには、ランプ最冷点温度を下げる必要がある。
【０００９】
本発明は、前述した課題を解決するためになされたものであり、その目的は、外観面で良好に蛍光ランプの最冷点の温度上昇を抑えてランプ光束を向上できる照明器具を提供することにある。
【課題を解決するための手段】
【００１０】
本発明に係る照明器具は、下方が開口された器具本体と、前記器具本体の内側に取り付けられる反射板と、前記反射板の内側に収容される蛍光ランプとを備え、前記反射板は、ソケット側の領域と、その反対側の領域との境界に熱移動抑制部を設ける。
【００１１】
本発明に係る照明器具は、前記熱移動抑制部は、スリットである。
【００１２】
本発明に係る照明器具は、前記熱移動抑制部は、前記反射板よりも熱伝導率の低い材料から構成される。
【００１３】
本発明に係る照明器具は、前記熱移動抑制部は、前記反射板よりも厚みが小さく形成される。
【発明の効果】
【００１４】
本発明に係る照明器具によれば、外観面で良好に蛍光ランプの最冷点の温度上昇を抑えランプ光束を向上できるという効果を奏する。
【図面の簡単な説明】
【００１５】
【図１】本発明に係る第１実施形態の照明器具の外観斜視図
【図２】本発明に係る第１実施形態の照明器具の器具本体周りの垂直断面図
【図３】本発明に係る第１実施形態の照明器具の反射板周りの斜め上方から視た外観斜視図
【図４】本発明に係る第２実施形態の照明器具の反射板周りの斜め上方から視た外観斜視図
【図５】本発明に係る第３実施形態の照明器具の反射板周りの斜め上方から視た外観斜視図
【図６】本発明に係る第４実施形態の照明器具の反射板周りの斜め上方から視た外観斜視図
【図７】照明器具におけるランプ最冷点温度と温度補正係数との関係図
【発明を実施するための形態】
【００１６】
以下、本発明に係る複数の実施形態の照明器具について図面を参照して説明する。
（第１実施形態）
図１に示すように、本発明に係る第１実施形態の照明器具１０は、下方が開口された器具本体１１と、器具本体１１に収容される片口金蛍光ランプ１２と、片口金蛍光ランプ１２の照射方向を変更させるためのアーム１３と、不図示の点灯装置を収容してアーム１３を支持する電源タワー１４と、電源タワー１４の前面に配置されたスイッチ１５と、点灯装置に電気的に接続されて電源タワー１４から引き出された電源線１６と、電源タワー１４を支持する基台１７と、を備えるデスクスタンドである。
【００１７】
図２に示すように、器具本体１１は、金属製または硬質の樹脂製であり、半円筒形状に形成されて下方に開口部１９を有する天板１８と、天板１８の基端部に接続されたソケット収容部２０と、天板１８の先端部に接続された端板２１とを有する。器具本体１１は、ソケット収容部２０にソケット２２が取り付けられている。器具本体１１は、天板１８の内側に反射板２３を有し、ソケット２２の反対側にランプ支持ばね２４を有する。
【００１８】
片口金蛍光ランプ１２は、片方である基端部に口金２５を有する。片口金蛍光ランプ１２は、基端部の口金２５がソケット２２に電気的に接続可能に装着され、先端部２６がランプ支持ばね２４に嵌め付けられることにより、器具本体１１に取り付けられる。ソケット２２は点灯装置に電気的に接続されている。
【００１９】
図３に示すように、反射板２３は、金属製または硬質の樹脂製であって断面視コ字形状に形成されている。反射板２３は、下方に下方開口部２７を有するとともにソケット２２とは反対側に先端開口部２８を有する。反射板２３は、一対の片口金蛍光ランプ１２を内側に収容している。
なお、反射板２３は、断面視コ字形状に代えて、断面視半円形状や断面視等脚台形状に形成されてもよい。
【００２０】
反射板２３は、器具本体１１のソケット２２側にソケット側反射板部２９を有するとともに、ソケット２２の反対側に先端側反射板部３０を有する。そして、反射板２３は、ソケット側反射板部２９と先端側反射板部３０との境界に、反射板２３の幅寸法に比べて十分に小さい幅寸法を有する熱移動抑制部である接続板部３１を有する。
【００２１】
接続板部３１は、反射板２３の幅寸法に比べて十分に小さい幅寸法を有して天部の中央部に配置されているために、ソケット側反射板部２９の端部３２と先端側反射板部３０の端部３３との間に、熱を伝えない空間部３４が形成されている。
【００２２】
照明器具１０は、片口金蛍光ランプ１２が点灯されることにより、片口金蛍光ランプ１２の口金２５側の温度が高くなる。そして、その熱が反射板２３においてソケット２２側のソケット側反射板部２９に伝わる。しかし、ソケット側反射板部２９に伝わった熱は、接続板部３１の周囲の空間部３４により先端側反射板部３０に伝わらないために、先端側反射板部３０は、熱の影響を受けずに温度の上昇が抑制され、片口金蛍光ランプ１２の先端部２６に熱を伝えない。このとき、接続板部３１の周囲の空間部３４を通じて、ソケット側反射板部２９に伝わった熱が器具本体１１の内側に対流する。
【００２３】
第１実施形態の照明器具１０によれば、片口金蛍光ランプ１２の点灯時にソケット側反射板部２９に伝わった熱が接続板部３１の周囲の空間部３４により先端側反射板部３０に伝わらないために、先端側反射板部３０が熱の影響を受けずに温度の上昇が抑制され、片口金蛍光ランプ１２の先端部２６に熱を伝えないので、片口金蛍光ランプ１２の最冷点の温度上昇を抑えてランプ光束を向上できる。
【００２４】
（第２実施形態）
次に、本発明に係る第２実施形態の照明器具について説明する。なお、以下の各実施形態において、前述した第１実施形態と重複する構成要素や機能的に同様な構成要素については、図中に同一符号あるいは相当符号を付することによって説明を簡略化あるいは省略する。
【００２５】
図４に示すように、本発明に係る第２実施形態の照明器具４０は、反射板４１が、器具本体１１のソケット２２側にソケット側反射板部４２を有するとともに、ソケット２２の反対側に先端側反射板部４３を有し、ソケット側反射板部４２と先端側反射板部４３との境界に、熱移動抑制部である空間状のスリット４４を有する。
【００２６】
照明器具４０は、片口金蛍光ランプ１２が点灯されることにより、片口金蛍光ランプ１２の口金２５側の温度が高くなる。そして、その熱が反射板４１においてソケット２２側のソケット側反射板部４２に伝わる。しかし、ソケット側反射板部４２に伝わった熱は、スリット４４により先端側反射板部４３に伝わらないために、先端側反射板部４３は、熱の影響を受けずに温度の上昇が抑制され、片口金蛍光ランプ１２の先端部２６に熱を伝えない。
【００２７】
第２実施形態の照明器具４０によれば、片口金蛍光ランプ１２の点灯時にソケット側反射板部４２に伝わった熱がスリット４４により先端側反射板部４３に伝わらないために、先端側反射板部４３が熱の影響を受けずに温度の上昇が抑制され、片口金蛍光ランプ１２の先端部２６に熱を伝えないので、片口金蛍光ランプ１２の最冷点の温度上昇を抑えてランプ光束を向上できる。
【００２８】
（第３実施形態）
次に、本発明に係る第３実施形態の照明器具について説明する。
図５に示すように、本発明に係る第３実施形態の照明器具５０は、反射板５１が、器具本体１１のソケット２２側にソケット側反射板部５２を有するとともに、ソケット２２の反対側に先端側反射板部５３を有し、ソケット側反射板部５２と先端側反射板部５３との境界に、熱移動抑制部であって反射板５１よりも熱伝導率の低いアクリル樹脂材料から構成される間隙部材５４を有する。
【００２９】
照明器具５０は、片口金蛍光ランプ１２が点灯されることにより、片口金蛍光ランプ１２の口金２５側の温度が高くなる。そして、その熱が反射板５１においてソケット２２側のソケット側反射板部５２に伝わる。しかし、ソケット側反射板部５２に伝わった熱は、熱伝導率の低い間隙部材５４により先端側反射板部５３に伝わらないために、先端側反射板部５３は、熱の影響を受けずに温度の上昇が抑制され、片口金蛍光ランプ１２の先端部２６に熱を伝えない。
【００３０】
第３実施形態の照明器具５０によれば、片口金蛍光ランプ１２の点灯時にソケット側反射板部５２に伝わった熱が熱伝導率の低い間隙部材５４により先端側反射板部５３に伝わらないために、先端側反射板部５３が熱の影響を受けずに温度の上昇が抑制され、片口金蛍光ランプ１２の先端部２６に熱を伝えないので、片口金蛍光ランプ１２の最冷点の温度上昇を抑えてランプ光束を向上できる。
【００３１】
（第４実施形態）
次に、本発明に係る第４実施形態の照明器具について説明する。
図６に示すように、本発明に係る第４実施形態の照明器具６０は、反射板６１が、器具本体１１のソケット２２側にソケット側反射板部６２を有するとともに、ソケット２２の反対側に先端側反射板部６３を有し、ソケット側反射板部６２と先端側反射板部６３との境界に、熱移動抑制部であってソケット側反射板部６２および先端側反射板部６３の板厚寸法よりも十分に小さい板厚寸法を有する連結部６４を有する。連結部６４は、ソケット側反射板部６２および先端側反射板部６３の板厚寸法よりも十分に小さい板厚寸法を有するために熱伝導率が低い。
【００３２】
照明器具６０は、片口金蛍光ランプ１２が点灯されることにより、片口金蛍光ランプ１２の口金２５側の温度が高くなる。そして、その熱が反射板６１においてソケット２２側のソケット側反射板部６２に伝わる。しかし、ソケット側反射板部６２に伝わった熱は、熱伝導率の低い連結部６４により先端側反射板部６３に伝わらないために、先端側反射板部６３は、熱の影響を受けずに温度の上昇が抑制され、片口金蛍光ランプ１２の先端部２６に熱を伝えない。
【００３３】
第４実施形態の照明器具６０によれば、片口金蛍光ランプ１２の点灯時にソケット側反射板部６２に伝わった熱が熱伝導率の低い連結部６４により先端側反射板部６３に伝わらないために、先端側反射板部６３が熱の影響を受けずに温度の上昇が抑制され、片口金蛍光ランプ１２の先端部２６に熱を伝えないので、片口金蛍光ランプ１２の最冷点の温度上昇を抑えてランプ光束を向上できる。
【００３４】
なお、本発明の照明器具において器具本体，片口金蛍光ランプ，ソケット，ランプ支持ばね等は、前述した各実施形態に限定されるものでなく、適宜な変形や改良等が可能である。
【符号の説明】
【００３５】
１０，４０，５０，６０  照明器具
１１  器具本体
１２  片口金蛍光ランプ（蛍光ランプ）
２３，４１，５１，６１  反射板
３１  接続板部（熱移動抑制部）
４４  スリット（熱移動抑制部）
５４  間隙部材（熱移動抑制部）
６４  連結部（熱移動抑制部）
【図１】
2012089427.tif 000004
【図２】
2012089427.tif 000005
【図３】
2012089427.tif 000006
【図４】
2012089427.tif 000007
【図５】
2012089427.tif 000008
【図６】
2012089427.tif 000009
【図７】
2012089427.tif 000010